(57)【要約】【課題】基板上の遊技機のゲーム進行に関わる重要な回路素子等に対する不正行為をより確実に防止する。【解決手段】少なくともスロットマシンのゲーム進行に関わる、たとえばコインの払い出し等の重要な電子回路部品３５２ａ等が搭載されている基板３５１をカバー本体３６０に収容保持し、そのカバー本体３６０の前面側にスロットマシンに所定作動を行わせるための各種操作スイッチを有する操作板３７０を設け、その操作板３７０の表面に開閉自在とされるカバーパネル３８０を設け、ヒートシンク３５５を、基板３５１上の少なくとも操作板３７０の背面側に近い位置に取り付けるようにし、その筐体の前面側から差し込まれたセルや針金等の不正行為治具がカバー本体３６０内部の基板３５１上の電子回路部品３５２ａ等の搭載面に侵入するのをガートするようにした。【選択図】図１１
2008154748.tif 000002
【特許請求の範囲】
【請求項１】
遊技機の前面側の開口が開閉自在な前扉で閉じられる筐体内部に取り付けられ、前記遊技機の動作に必要な電力を供給する電源装置であって、
少なくとも前記遊技機のゲーム進行に関わる電子回路部品が搭載されている基板と、
該基板を収容保持するボックス体と、
該ボックス体の前面側に設けられ、前記遊技機に所定作動を行わせるための操作スイッチを有する操作板と、
該操作板の表面側に開閉自在に設けられ、閉塞位置で前記操作板の表面を覆うカバー体とを備え、
前記基板上の少なくとも前記遊技機の前面側に寄った位置に、前記電子回路部品への不正行為治具の侵入をガートするガード部材が取り付けられている
ことを特徴とする電源装置。
【請求項２】
前記ガード部材は、前記基板上の少なくとも前記操作板の背面側に近い位置に取り付けられていることを特徴とする請求項１に記載の電源装置。
【請求項３】
前記ガード部材は、ヒートシンクであることを特徴とする請求項１又は２に記載の電源装置。
【請求項４】
請求項１〜３のいずれかに記載の電源装置を搭載していることを特徴とする遊技機。
【発明の詳細な説明】
【技術分野】
【０００１】
本発明は、遊技機の動作に必要な電力を供給する電源装置及び遊技機に関する。
【背景技術】
【０００２】
遊技機の一種として回胴式遊技機である、たとえばスロットマシンがある。スロットマシンは、複数の図柄が付された回転体としての複数のリールを備え、遊技者がメダルを投入してスタートレバーを操作することで各リールが回転を開始する。各リールが回転を開始した後、ストップボタンを操作したり所定時間が経過したりすることで、各リールが順次停止する。  
【０００３】
また、スロットマシンでは、メダル（又はコインともよばれている）の投入とスタートレバーの操作を条件として抽選を行い、その抽選結果が当選であり、かつ予め設定された有効ライン上に遊技者が当選した図柄を停止させることを条件として所定枚数のメダルが払い出されたり、遊技者に有利な特別遊技状態（ボーナスゲーム等）が発生する。
【０００４】
また、このようなスロットマシンは、前面側に開口を有する箱形の筐体と、この筐体の前面側に開閉自在に取り付けられた前面扉とを備え、筐体の内部に遊技構成装置が配設されて、前面扉が開口を覆う状態で遊技に供されるようになっている。また、その筐体の内部には、スロットマシンの各部に電力を供給するための電源装置が設けられており、この電源装置から供給される電力によりスロットマシンが作動するようになっている。
【０００５】
ところで、このような電源装置には、たとえば特許文献１に示されるように、基板収容体に電力の生成に必要な部品、コインの払い出し、コインの出玉率の設定、電源のオンオフ、エラーのリセット等に関わる回路素子、制御基板との信号のやり取りを行う信号線を接続するコネクタ等が搭載される基板を収容保持し、その基板収容体の前面側に電源スイッチや、遊技メダルの回収を行うためのメダル回収スイッチ、そしてスロットマシンの出玉率を設定するための設定スイッチ等の各操作スイッチを有する操作板を取り付け、その操作板の表面を閉鎖位置から横開き開閉可能に取り付けられたカバーパネルで覆うようにした構成がとられているものがある。
【０００６】
このような電源装置は、スロットマシンの筐体内部にねじ止め等によって固定されており、ホールスタッフ等がスロットマシンのメンテナンス作業や出玉管理作業等を行う場合、スロットマシンの専用鍵を用いて筐体の前面扉を開け、さらに電源装置のカバーパネルを開けることで、操作板に設けられている、たとえばメダル回収スイッチを操作することで、メダル払出装置から遊技メダルが強制的に払い出される遊技メダルの回収が行われ、また同様に、たとえば設定スイッチを操作することで、スロットマシンの出玉率を設定することによるスロットマシンの出玉管理等が行われる。
【０００７】
また、このような電源装置は、スロットマシンの筐体の開口を前面扉によって覆うことで外部とは隔離され、専用鍵を用いて前面扉を開けない限り電源装置の操作板の各操作スイッチ等が不正に操作されないようになっている。また、操作板の各操作スイッチが設けられている表面がカバーパネルで覆われることで、セルや針金等の不正行為治具を用いた各操作スイッチに対する不正行為に対する対策もとられている。
【０００８】
【特許文献１】特開２００４−６５４９３号公報
【発明の開示】
【発明が解決しようとする課題】
【０００９】
ところで、上述した特許文献１に示される電源装置は、スロットマシンの機種にもよるが、一般的にスロットマシンの筐体を正面から見たとき、その筐体内部の左下付近にねじ止め等によって固定されていることが多い。これは、筐体の開口を覆っている前面扉が左端部側を支点として片開きされる構成であり、前面扉を開けたときにその筐体の左下付近が前面扉を開けた開け口から最も遠い位置にあり、たとえば遊戯中に前面扉が不正に開けられても、その開け口から手、さらにはセルや針金等の不正行為治具等が届き難くなるようにした一種の不正行為の対策のためでもある。
【００１０】
また、スロットマシンの筐体は、内部にセルや針金等の不正行為治具が差し込まれないように隙間のない構成がとられているが、スロットマシンではゲーム進行のためにメダルを使用するという特異性から、その筐体にはゲームに使用するメダルを投入するための投入口を有するメダル投入部と、入賞時等においてメダルを排出するメダル排出口とが設けられている。
【００１１】
ここで、これらの投入口やメダル排出口は、唯一筐体内部に通じる穴であり、その穴からセルや針金等の不正行為治具が差し込まれて操作板の各操作スイッチ等が不正に操作されてしまうことが考えられるが、上述した特許文献１のように操作板の各操作スイッチが設けられている表面をカバーパネルで覆うことで、セルや針金等の不正行為治具が操作板の表面に差し込まれ難くすることができるものと思われる。
【００１２】
ところが、上述した電源装置では、電力の生成に必要な部品、コインの払い出し等に関わる回路素子、制御基板との信号のやり取りを行う信号線を接続するコネクタ等が搭載される基板を基板収容体に収容保持する構成であるため、たとえば基板収容体と操作板との隙間からセルや針金等の不正行為治具が差し込まれてしまうと、基板上のコインの払い出し、コインの出玉率の設定、電源のオンオフ、エラーのリセット等に関わる重要な回路素子等が不正に弄られてしまうことによる不正行為を招くおそれがあるといった問題があった。
【００１３】
本発明は、このような状況に鑑みてなされたものであり、基板上の遊技機のゲーム進行に関わる重要な回路素子等に対する不正行為をより確実に防止できる電源装置及び遊技機を提供することを目的とする。
【課題を解決するための手段】
【００１４】
本発明の電源装置は、遊技機の前面側の開口が開閉自在な前扉で閉じられる筐体内部に取り付けられ、前記遊技機の動作に必要な電力を供給する電源装置であって、少なくとも前記電子回路部品が搭載されている基板と、該基板を収容保持するボックス体と、該ボックス体の前面側に設けられ、前記遊技機に所定作動を行わせるための操作スイッチを有する操作板と、該操作板の表面側に開閉自在に設けられ、閉塞位置で前記操作板の表面を覆うカバー体とを備え、前記基板上の少なくとも前記遊技機の前面側に寄った位置に、前記電子回路部品への不正行為治具の侵入をガートするガード部材が取り付けられていることを特徴とする。
【００１５】
また、前記ガード部材は、前記基板上の少なくとも前記操作板の背面側に近い位置に取り付けられているようにしてもよい。
【００１６】
また、前記ガード部材は、ヒートシンクであるようにしてもよい。
【００１７】
本発明の遊技機は、請求項１〜３のいずれかに記載の電源装置を搭載していることを特徴とする。
【００１８】
本発明の電源装置及び遊技機では、少なくとも遊技機のゲーム進行に関わる電子回路部品が搭載されている基板をボックス体に収容保持し、そのボックス体の前面側に遊技機に所定作動を行わせるための操作スイッチを有する操作板を設け、その操作板の表面に開閉自在とされるカバー体を設け、基板上の少なくとも遊技機の筐体の前面側に寄った位置に、ガード部材を取り付けることで、その筐体の前面側から差し込まれたセルや針金等の不正行為治具がボックス体内部の基板上の電子回路部品の搭載面に侵入するのをガートすることができる。
【発明の効果】
【００１９】
本発明の電源装置及び遊技機によれば、筐体の前面側から差し込まれたセルや針金等の不正行為治具がボックス体内部の基板上の電子回路部品の搭載面に侵入するのをガートすることができるようにしたので、基板上の遊技機のゲーム進行に関わる重要な回路素子等に対する不正行為をより確実に防止できる。
【発明を実施するための最良の形態】
【００２０】
本実施形態では、少なくとも遊技機のゲーム進行に関わる、たとえばコインの払い出し等の重要な電子回路部品が搭載されている基板をボックス体に収容保持し、そのボックス体の前面側に遊技機に所定作動を行わせるための操作スイッチを有する操作板を設け、その操作板の表面に開閉自在とされるカバー体を設け、基板上の少なくとも遊技機の筐体の前面側に寄った位置に、ガード部材を取り付けることで、その筐体の前面側から差し込まれたセルや針金等の不正行為治具がボックス体内部の基板上の電子回路部品の搭載面に侵入するのをガートすることにより、基板上の遊技機のゲーム進行に関わる重要な回路素子等に対する不正行為をより確実に防止できるようにした。
【実施例】
【００２１】
以下、本発明の実施例の詳細について説明する。図１は、本発明の遊技機の電源装置が適用される回胴式遊技装置の一例を示す図、図２は図１の回胴式遊技装置を並設させた、いわゆる遊技機島を示す平面図である。
【００２２】
これらの図に示すように、回胴式遊技装置であるスロットマシン１は、遊技者側に面する、いわゆるフロントマスクを構成する前扉３が略矩形状の箱体である筐体２の開口側に対し図示しない蝶番機構により開閉可能に取り付けられている。このようなスロットマシン１は、図２のように、コイン貸出機４００を挟んで並設され、いわゆる遊技機島を構成している。前扉３は、上パネル部３Ａと下パネル部３Ｂとに概ね分けられ、これらは化粧板として視覚効果を高めてデザインされた硬質プラスチックにより一体的に形成されている。
【００２３】
そして、ホールスタッフ等がメンテナンス作業や出玉管理作業等を行う場合、前扉３のロックを専用鍵を用いて解除すると、図２のように前扉３が開放されるようになっている。なお、前扉３は、通常、筐体２に対してロックされており、前扉３に設けられている鍵穴に専用鍵を差し込んでそのロックを解除するようになっているが、ここではその詳細についての説明を省略する。また、図２に示す符号３４０は後述の主電源装置３４０を示している。
【００２４】
上パネル部３Ａと下パネル部３Ｂとの間には、遊技者側に若干突出し、ゲーム操作を行うためのスイッチ類等である、後述のベットボタン１４、スタートレバー１５及びストップボタン１６ａ，１６ｂ，１６ｃ等が配置された操作卓４が一体的に設けられている。また、前扉３の下部には、メダルを貯留するための受皿部を形成する受皿ユニット５が設けられている。
【００２５】
前扉３の上パネル部３Ａには、高輝度発光ダイオードを内蔵した上部ランプ６及びサイドランプ７ａ，７ｂが配置され、リーチや大当たり等の際に点灯又は点滅して遊技者の視覚に訴える演出を行っている。また、上パネル部３Ａには、左右にスピーカを内蔵した演出用放音部８ａ，８ｂが設けられ、これらの演出用放音部８ａ，８ｂによりゲームの進行に応じて選択される効果音や楽音等による演出が行われる。
【００２６】
さらに、演出用放音部８ａ，８ｂの間には、表示窓が形成されており、その表示窓から液晶表示部９ａが見えるように液晶表示ユニット９が配置されている。液晶表示ユニット９は、ゲームの進行に応じて選択された動画像を表示して、当該ゲームにストーリー性を与えたり、また、遊技者に内部当選結果を暗示して期待感を惹起させたりする等の演出を行っている。
【００２７】
上パネル部３Ａの中央には、略長方形の透明な表示窓１１ａと、遊技状態等をランプ表示する情報表示部とが形成されたパネル板１１が取り付けられている。そして、筐体２内に設けられている３個の円筒状のリール１２ａ，１２ｂ，１２ｃが表示窓１１ａを通して目視されるように構成されている。
【００２８】
すなわち、筐体２内には、リール１２ａ，１２ｂ，１２ｃを回転軸方向に並設してユニット化したリールユニット１０が配置され、また、リール１２ａ，１２ｂ，１２ｃの各リールの外周面には、所定数（たとえば２１個）の図柄が付された長尺状のプラスチックシートであるリールテープがそれぞれ捲装されて貼り付けられている。そして、表示窓１１ａ側に臨む縦３個、横３列の図柄が当該表示窓１１ａを通して遊技者側から目視されるように構成されている。  
【００２９】
前扉３の中段には、ゲームに使用するメダルを投入するための投入口を有するメダル投入部１３と、コインをベットするベットボタン１４と、ゲームの操作を指示するスタートレバー１５と、各リール１２ａ，１２ｂ，１２ｃをストップさせるストップボタン１６ａ，１６ｂ，１６ｃとがそれぞれ配設されている。  
【００３０】
ベットボタン１４は、スロットマシン１の当該ゲームに賭けるメダルの枚数を提示するための押圧式の操作スイッチである。すなわち、ゲーム停止中にメダル投入部１３の投入口からコインを投入すると、その投入枚数に応じてコインがコインがクレジット（最大５０枚まで）されるようになっており、ＭＡＸベットボタンと呼ばれるベットボタン１４を操作すると、そのクレジットされているコインのうち３枚がベットされるようになっている。
【００３１】
スタートレバー１５は、リール１２ａ，１２ｂ，１２ｃを一斉に回転させる指示をするためのレバースイッチであり、先端に設けられている球形の操作ノブを上下左右のいずれかの方向に傾倒操作するとオン作動し、その操作ノブから手が離されるとスプリングの付勢力によって自動的に元の位置に戻ってオフするように構成されている。
【００３２】
ストップボタン１６ａ，１６ｂ，１６ｃは、各リール１２ａ，１２ｂ，１２ｃの回転停止を個別に指示するための押圧式スイッチであり、各リール１２ａ，１２ｂ，１２ｃの配列に対応してそれぞれ並設されている。
【００３３】
前扉３に形成された下パネル部３Ｂには、スロットマシン１のモデルタイプ等を遊技者へ認識させるため、たとえば登場キャラクターの絵等を表示するパネル１７が設けられている。
【００３４】
受皿ユニット５には、入賞時等においてメダルを排出するメダル排出口１８と、後述するスピーカを内蔵しゲームの進行に応じて演出効果音を発生させる演出効果音部１９ａ，１９ｂがそれぞれ配設されている。      
【００３５】
図３は、前扉３の裏面構造と、筐体２の内部構造とを示す図である。なお、図３は、前扉３を筐体２から開けた状態を表している。同図において、前扉３の裏面上部には、上部ランプ６の光源である高輝度発光ダイオード３１が配列されるとともに、上述の演出用放音部８ａ、８ｂに対向してスピーカ３４ａ，３４ｂが取り付けられている。
【００３６】
また、図３には示されてはいないがスピーカ３４ａ，３４ｂの間に上述した液晶表示ユニット９が位置しており、その液晶表示部９ａが表示窓に向けて取り付けられている。さらに、液晶表示部９ａの裏面側に、電気回路基板で形成された副制御基板３１０が取り付けられている。
【００３７】
なお、詳細は後述するが、スロットマシン１全体の動作は、筐体２側に設けられている主制御基板３２０によって統括制御されている。また、副制御基板３１０は、液晶表示部９ａの表示制御、及び上部ランプ６、スピーカ３４ａ，３４ｂの制御等、ゲームの演出に係る制御を主に行っている。
【００３８】
副制御基板３１０の下方には、筐体２側のリール１２ａ，１２ｂ，１２ｃを目視させるための表示窓１１ａを有するパネル板１１が取り付けられている。
【００３９】
パネル板１１の下方には、中央表示基板３３０と呼ばれる電気回路（中継）基板が設けられている。中央表示基板３３０には、上述した操作卓４に設けられているベットボタン１４、スタートレバー１５、ストップボタン１６ａ，１６ｂ，１６ｃ等のスイッチ類が電気的に接続されており、これらスイッチ類の出力信号が筐体２側の主制御基板３２０に転送されるように配線接続されている。
【００４０】
中央表示基板３３０の下方には、上述のメダル投入部１３より投入される投入物を正規のメダルか異物かを判別して振り分けるセレクト機構３６で振り分けられたメダルを筐体２内に設けられているホッパ装置３８へ案内するガイド部材３８ａと、セレクト機構３６で振り分けられた異物を排出口３６ａへ案内するガイド部材３６ｂとが設けられている。また、排出口３６ａの両側には、上述したスピーカ３４ａ，３４ｂに対向してスピーカ３７ａ，３７ｂが取り付けられており、これにより上述した演出用放音部１９ａ，１９ｂを介して演出効果音を出力するように構成されている。
【００４１】
一方、筐体２内の略中央には、リール１２ａ，１２ｂ，１２ｃを備える回胴装置３９が設けられている。回胴装置３９は、前扉３が筐体２側に閉じられると表示窓１１ａにリール１２ａ，１２ｂ，１２ｃが対向するように、筐体２の所定フレーム（符号略）に位置決めして取り付けられている。なお、回胴装置３９の上側には、リール１２ａ，１２ｂ，１２ｃを回転駆動させる後述のステッピングモータ４８ａ〜４８ｃを制御するための電気回路基板である後述の回胴装置基板８１０が設けられている。
【００４２】
回胴装置３９の上方には、スロットマシン１の全体動作を集中制御する主制御基板３２０が取り付けられている。回胴装置３９の下方には、ホッパ装置３８と、ホッパ装置３８から溢れたメダルを収容するための補助貯留部３２５と、主電源装置３４０とが設けられている。主電源装置３４０の側面には、いわゆる配電盤に相当する後述の電源装置基板８２０が設けられている。さらに、筐体２の内壁の一端には、遊技場等に設置されている「ホールコンピュータ」と呼ばれる管理用コンピュータと接続可能な後述する外部集中端子基板８４０が取り付けられている。
【００４３】
そして、上述の主制御基板３２０、副制御基板３１０、中央表示基板３３０、回胴装置基板８１０、電源装置基板８２０、外部集中端子基板８４０は、いずれも導電性配線パターンの形成された絶縁性樹脂基板上に集積回路（ＩＣ）やトランジスタ、抵抗、コンデンサ等の電子部品が搭載されて配線接続されたいわゆる電気回路基板として形成されている。なお、主制御基板３２０と副制御基板３１０とは、それぞれ硬質プラスチックのケースに収納されたユニット構造となっている。
【００４４】
図４は、スロットマシン１に設けられている制御システムを説明するためのブロック図である。制御システムは、主として主制御基板３２０、副制御基板３１０、回胴装置基板８１０、中央表示基板３３０、電源装置基板８２０、外部集中端子基板８４０を備え、それぞれが配線ケーブルによって接続されている。  
【００４５】
主制御基板３２０は、ＣＰＵ（Ｃｅｎｔｒａｌ  Ｐｒｏｃｅｓｓｉｎｇ  Ｕｎｉｔ）  、半導体メモリであるＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備えている。そして、ＣＰＵにより、ＲＯＭに予め記憶されているシステムプログラムとスロットマシンゲーム用のプログラムとを読み込んで所定の制御が実行されると、副制御基板３１０、回胴装置基板８１０、中央表示基板３３０、電源装置基板８２０に設けられているそれぞれの制御部によって所定の指令を行う分散制御が行われる。
【００４６】
また、主制御基板３２０は、内部抽選した役の情報を副制御基板３１０へ供給し、その役に相当する演出を上述した上部ランプ６、サイドランプ７ａ，７ｂ、スピーカ３４ａ，３４ｂ，３７ａ，３７ｂ、液晶表示部９ａを介して行う。
【００４７】
副制御基板３１０には、照明制御部３１０ａ、音響制御部３１０ｂ、画像制御部３１０ｃが設けられている。照明制御部３１０ａは、上述の上部ランプ６及びサイドランプ７ａ，７ｂの照明制御を行う。音響制御部３１０ｂは、上述のスピーカ３４ａ，３４ｂ，３７ａ，３７ｂの音響制御を行う。画像制御部３１０ｃは、ＣＰＵ、ＲＯＭ、ＲＡＭ及び液晶表示部９ａに映像を表示させる制御を行うためのＶＤＰ（Ｖｉｄｅｏ  Ｄｉｓｐｌａｙ  Ｐｒｏｃｅｓｓｏｒ）を有し、上述の液晶表示部９ａの表示制御を行う。
【００４８】
ここで、副制御基板３１０は、主制御基板３２０から演出開始を示唆する制御信号が供給されると、上部ランプ６、サイドランプ７ａ，７ｂとスピーカ３４ａ，３４ｂ，３７ａ，３７ｂとを駆動したり、液晶表示部９ａに演出映像を表示したりするようになっている。これにより、遊技者の視覚と聴覚に訴える演出を行うことができる。
【００４９】
回胴装置基板８１０には、リール１２ａ，１２ｂ，１２ｃを回転駆動するステッピングモータ４８ａ，４８ｂ，４８ｃと、リール１２ａ，１２ｂ，１２ｃの各回転位置を検出する回転位置検出装置である、たとえばフォトセンサ９１ａ，９１ｂ，９１ｃとが接続されている。
【００５０】
回胴装置基板８１０の制御部は、フォトセンサ９１ａ，９１ｂ，９１ｃからの検出信号と、ステッピングモータ４８ａ，４８ｂ，４８ｃへ出力した駆動パルス信号のパルス数との情報に基づいて、リール１２ａ，１２ｂ，１２ｃの回転と制動、及び停止の制御を適切に行うようになっている。
【００５１】
また、回胴装置基板８１０の制御部は、上述したスタートレバー１５、ストップボタン１６ａ，１６ｂ，１６ｃ等の操作に伴って、主制御基板３２０からリール１２ａ，１２ｂ，１２ｃのそれぞれの回転又は停止させるべき旨の制御信号が供給されると、フォトセンサ９１ａ，９１ｂ，９１ｃからの検出信号を取り込みながら、各リール１２ａ，１２ｂ，１２ｃの回転位置を適切に把握しつつ、ステッピングモータ４８ａ，４８ｂ，４８ｃへの駆動パルス信号を制御して各リール１２ａ，１２ｂ，１２ｃの回転動作を制御する。
【００５２】
中央表示基板３３０には、上述したベットボタン１４、スタートレバー１５及びストップボタン１６ａ，１６ｂ，１６ｃが接続されている。中央表示基板３３０は、これらベットボタン１４、スタートレバー１５及びストップボタン１６ａ，１６ｂ，１６ｃからの出力信号を主制御基板３２０へ転送する中継基板として機能する。また、中央表示基板３３０は、セレクト機構３６に設けられている図示しない遊技メダル検出センサからの出力信号を主制御基板３２０へ転送し、上述のメダル投入部１３に投入されたメダル枚数を知らせるとともに、異物の投入や目詰まりの発生等を知らせる。
【００５３】
そして、主制御基板３２０は、ベットボタン１４又はセレクト機構３６のコインセンサが動作し、当該ゲームへの賭け枚数を検知し、スタートレバー１５がオン操作されると、リール回転開始の指示がなされたことを検知する。さらに、ストップボタン１６ａ，１６ｂ，１６ｃが任意の順番でストップ操作されると、その順番でリール１２ａ，１２ｂ，１２ｃを停止させるべき指示がなされたことを検知する。
【００５４】
ここで、主制御基板３２０が上述のスタートレバー１５がオン操作されたことを検知すると、内部役抽選を行った後、上述のリール１２ａ，１２ｂ，１２ｃを回転させるべく回胴装置基板８１０に指令するとともに、副制御基板３１０に指令して、上部ランプ６及びサイドランプ７ａ，７ｂと、スピーカ３４ａ，３４ｂ，３７ａ，３７ｂと、液晶表示部９ａとによる演出を行わせる。
【００５５】
また、ストップボタン１６ａ，１６ｂ，１６ｃが任意の順番でストップ操作されると、主制御基板３２０は、各リール１２ａ，１２ｂ，１２ｃをそのストップ操作の順番で停止させ、かつ上述したように抽選した役に相当する図柄を正面のライン上に揃えるべく回胴装置基板８１０に指令する。また、主制御基板３２０は、副制御基板３１０に指令して、ストップボタン１６ａ，１６ｂ，１６ｃが押圧操作される毎に、上部ランプ６及びサイドランプ７ａ，７ｂと、スピーカ３４ａ，３４ｂ，３７ａ，３７ｂと、液晶表示部９ａとによる演出を様々に変化させ、ゲームの進行状況等を遊技者に告知する。
【００５６】
電源装置基板８２０には、主電源装置３４０で発生される各種電源電圧をホッパ装置３８等の各所に配電する配電回路が形成されており、かかる配電回路からスロットマシン１の動作に必要なシステム電源を供給する。また、電源装置基板８２０は、主制御基板３２０からメダルの払い出しをすべき旨の指令を受けると、ホッパ装置３８を制御してメダルの払い出しを行わせる。
【００５７】
外部集中端子基板８４０は、主制御基板３２０から出力されるスロットマシン１の状態信号又はゲームの進行状況等を示す信号を、上述のホールコンピュータへ送出するための端子基板である。
【００５８】
図５〜図１１は、本発明の電源装置に係る、筐体２側に設けられている主電源装置３４０の詳細を説明するための図である。ここで、図５は主電源装置３４０の分解斜視図、図６は主電源装置３４０の正面図、図７はカバーパネルを開放した場合の主電源装置３４０の正面図、図８はカバーパネルを内側から見た正面図、図９は主電源装置３４０の平面図、図１０は図６の主電源装置３４０をＡ−Ａ線に沿って見た場合の部分拡大断面図、図１１は図６の主電源装置３４０をＢ−Ｂ線に沿って見た場合の部分拡大断面図である。
【００５９】
まず、図５に示すように、主電源装置３４０は、上述した電源装置基板８２０の配電回路を介してスロットマシン１の動作に必要なシステム電源を供給する電源基板ユニット３５０と、電源基板ユニット３５０を収容保持するボックス体としてのカバー側板３６１を有するカバー本体３６０と、種々の操作スイッチを有してカバー本体３６０の前面側に取り付けられる操作板３７０と、操作板３７０に横開き開閉可能に取り付けられるカバー体としてのカバーパネル３８０とを主体に構成される。
【００６０】
電源基板ユニット３５０の基板３５１には、電力生成に必要な複数の電子部品３５２と、コインの払い出し、コインの出玉率の設定、電源のオン／オフ、エラーのリセット等に関わる電子回路部品３５２ａと、満杯検知信号線コネクタ３５３ａと、基板通信コネクタ３５３ｂと、ホッパコネクタ３５３ｃと、コインの払い出し、コインの出玉率の設定、電源のオン／オフ、エラーのリセット等に関わる回路素子３５４と、ヒートシンク３５５と、打ち止め処理の有無を設定する打止スイッチ３５６と、自動精算処理の有無を設定する自動精算スイッチ３５７とが少なくとも設けられている。ここで、電子回路部品３５２ａ等は、スロットマシン１のゲーム進行に関わる重要な電子回路部品である。
【００６１】
ここで、満杯検知信号線コネクタ３５３ａには、上述のホッパ装置３８から溢れたメダルを収容するための補助貯留部３２５でのメダルの貯留状態を検知する検知スイッチ又は検知センサからの検知信号を受ける図示しない検知信号線が接続される。なお、検知スイッチ又は検知センサからの検知信号は、補助貯留部３２５に貯留されたメダルが一杯になったときに出力されるようになっている。
【００６２】
また、基板通信コネクタ３５３ｂには、上述した主制御基板３２０等に電源を供給したり、主制御基板３２０からの信号（払出命令信号、リセット信号、設定モードオンオフ信号等）を受信したりする図示しないケーブルが接続される。また、ホッパコネクタ３５３ｃには、上述のホッパ装置３８の動力をオンオフしたり、コインの払い出し信号等を受信したりする図示しないケーブルが接続される。また、電源基板ユニット３５０の基板３５１の四隅には、カバー本体３６０の内部に取り付けるための基板取付穴３５８が形成されている。
【００６３】
また、ヒートシンク３５５は、基板３５１上の電力生成に必要な複数の電子部品３５２、コインの払い出し、コインの出玉率の設定、電源のオン／オフ、エラーのリセット等に関わる電子回路部品３５２ａ、コインの払い出し、コインの出玉率の設定、電源のオン／オフ、エラーのリセット等に関わる回路素子３５４等からの熱を放出させるものであり、熱が伝導しやすいアルミや銅等の金属材料で形成されている。また、ヒートシンク３５５は、基板３５１上に図示しない取付部材を用いて固定されている。また、ヒートシンク３５５は、図１１に示すように、基板３５１上において、操作板３７０の背面側、すなわち遊技者から見て少なくともコインの出玉率の設定、電源のオン／オフ、エラーのリセット等に関わる電子回路部品３５２ａの手前側に位置するように配置されている。
【００６４】
このように、基板３５１上においてヒートシンク３５５を、少なくともコインの出玉率の設定、電源のオン／オフ、エラーのリセット等に関わる重要な電子回路部品３５２ａの手前側に位置するように配置することにより、たとえばカバー本体３６０と操作板３７０の隙間からセルや針金等の不正行為治具が差し込まれても、ヒートシンク３５５が邪魔し、基板３５１上の電子回路部品３５２ａ等が搭載されている搭載面側にそのセルや針金等の不正行為治具が侵入され難くなり、少なくともコインの出玉率の設定、電源のオン／オフ、エラーのリセット等に関わる重要な電子回路部品３５２ａ等に対する不正行為を防止することができる。
【００６５】
すなわち、ヒートシンク３５５は、少なくともコインの出玉率の設定、電源のオン／オフ、エラーのリセット等に関わる重要な電子回路部品３５２ａ等に対し、セルや針金等の不正行為治具の侵入をガートするガード部材となっている。このように、基板３５１の放熱に必要な既存のヒートシンク３５５をガード部材として用いることにより、新たなガード部材を取り付ける必要がなくなり、基板３５１上の電子回路部品３５２ａ等の有効搭載面積の縮小を抑えることができる。
【００６６】
なお、ヒートシンク３５５は、図５、図１１に示すように、操作板３７０の背面側に限らず、少なくとも電子回路部品３５２ａの上側及び／又は左側にも配置されるようにしてもよい。これにより、基板３５１上の電子回路部品３５２ａ等が搭載されている搭載面側に上側及び／又は左側から差し込まれるセルや針金等の不正行為治具の侵入による不正行為を防止することができる。このように、基板３５１上にヒートシンク３５５を複数配置する場合には、各ヒートシンク３５５の厚みを薄くすることで、放熱効果を維持しつつ、基板３５１上の電子回路部品３５２ａ等の有効搭載面積の縮小を抑えることができる。
【００６７】
カバー本体３６０は、金属板材を用いて方形箱状に形成され、内部に電源基板ユニット３５０を収容保持し、同じく金属板材よりなるカバー側板３６１によって閉塞されるように構成される。カバー本体３６０の前面側における開口縁部には、操作板３７０をカバー本体３６０に取り付けるためのネジ穴３６２ａを有する操作板取付部３６２が設けられている。また、カバー本体３６０の底部前面側には、図５及び図９に示すように、ネジ穴３６３ａを有する板状の取付台座部３６３が設けられている。取付台座部３６３は、筐体２に固定されるものであり、そのネジ穴３６３ａを介してネジ固定することにより、カバー本体３６０が筐体２に取付固定されるようになっている。
【００６８】
カバー本体３６０の上部には、図５及び図９に示すように、上述したコネクタ３５３ａ，３５３ｂ，３５３ｃを外部に露出させるためのコネクタ開口部３６４ａ，３６４ｂ，３６４ｃと、カバー側板３６１の取付部３６５のネジ穴３６５ｂと位置合わせしてネジ止めされるネジ穴３６５ｃと、筐体２に固定されるネジ穴３６６ａを有する取付台座部３６６とが設けられている。ここで、カバー本体３６０の上面及び側面とカバー側板３６１には、カバー本体３６０の内部で発生した熱を外部に逃す開口部が形成されていないため、セルや針金等の不正行為治具をカバー本体３６０の内部に侵入させ難くなり、主電源装置３４０に対する不正行為を防止することができる。
【００６９】
一方、その熱を外部に逃す開口部は、カバー本体３６０の底面と背面に形成されている。すなわち、カバー本体３６０の底面の底面開口部３６７ａは、カバー本体３６０の底部から下方に延びるとともに、その開口部が後方に向けられたルーバー形状に形成され、カバー本体３６０の内部で発生した熱が外部に放熱されるようになっている。これにより、底面開口部３６７ａが筐体２の底部に向けられるとともに、その開口部がスロットマシン１の後方、すなわち遊技者側（前面側）とは反対側に向けて開口しているため、セルや針金等の不正行為治具を底面開口部３６７ａからカバー本体３６０の内部に侵入させ難くなり、主電源装置３４０に対する不正行為を防止することができる。
【００７０】
また、カバー本体３６０の背面の背面開口部３６７ｂは、スロットマシン１の後方である、遊技者側（前面側）から最も奧に位置しているため、セルや針金等の不正行為治具をカバー本体３６０の内部に侵入させ難くなる。そのため、背面開口部３６７ｂは放熱効果や軽量化等を高めるために、たとえば円形に形成することができる。なお、背面開口部３６７ｂは、円形に限らず三角や四角等の他の形状であってもよく、さらには底面開口部３６７ａと同様なルーバー形状としてもよい。
【００７１】
操作板３７０は、板状の形態をなし、ポリカーボネート、メタクリル樹脂、ＡＢＳ樹脂等の透明な樹脂材料を用いて射出成形等の成形手段により図示する形状に一体的に形成される。これにより、ホールスタッフ等が操作板３７０を通してカバー本体３６０内の電源基板ユニット３５０の各種部品や回路等の状態を外観確認することができるようになっている。また、操作板３７０には、図６及び図７に示すように、スロットマシン１を作動させる電源スイッチ３７１を取り付けるための取付穴３７１ａと、スロットマシン１の出玉率を設定する設定スイッチ３７２を取り付けるための取付穴３７２ａと、エラーの解除等を行うリセットボタン３７３を取り付けるための取付穴３７３ａとが形成されている。
【００７２】
また、操作板３７０には、上述した打ち止め処理の有無を設定する打止スイッチ３５６を操作するための操作穴３７４ａと、上述した自動精算処理の有無を設定する自動精算スイッチ３５７を操作するための操作穴３７４ｂと、カバーパネル３８０の後述のロック片操作部３８５の凸状の背面部３８５ｄを嵌合する嵌合凹部３７５が形成されている。ここで、打止スイッチ３５６及び自動精算スイッチ３５７は、操作穴３７４ａ，３７４ｂの内部で上下に移動するように配置されており、これらの操作穴３７４ａ，３７４ｂから突出しないように構成されているので、セルや針金等の不正行為治具による打止スイッチ３５６及び自動精算スイッチ３５７に対する不正行為を防止することができる。
【００７３】
また、電源スイッチ３７１には、図１１に示すように、コネクタ３７１ｂを介して接続コネクタ３５９ａを有する電源ケーブル３５９が接続されている。なお、その電源ケーブル３５９の中間部分が保持具３７１ｃにより基板３５１側に固定されている。また、電源スイッチ３７１は、コネクタ３７１ｄ及びケーブル３７１ｅを介して打止スイッチ３５６側に接続されている。
【００７４】
また、操作板３７０の嵌合凹部３７５の操作板３７０の縁側に寄った位置には、図１０に示すように、先端にテーパ部３７６ａ及び係止段部３７６ｂを有するロック片３７６を水平方向に若干傾動させることが程度の遊嵌穴３７６ｃが形成されており、その遊嵌穴３７６ｃからロック片３７６の先端が外部に突出している。
【００７５】
また、操作板３７０の周部四箇所には、操作板３７０をカバー本体３６０の前面側に取り付けるための取付固定部３７６ｄが固定穴３７６ｅを有して形成されており、固定穴３７６ｅの位置をカバー本体３６０の前面側に形成された操作板取付部３６２のネジ穴３６２ａに合わせ、図示しない操作板取付ネジを固定穴３７６ｅに通過させてネジ穴３６２ａにネジ固定することにより、操作板３７０がカバー本体３６０の前面側に取り付けられる。また、操作板３７０の周囲に繋がって段差部３７７ａが形成されており、操作板３７０の表面中央側が突出するように構成されている。なお、図７及び図１０に示す符号３７７ｃは、嵌合凹部３７５の形成に伴い段差部３７７ａと同一線上に形成されるリブである。
【００７６】
さらに、その段差部３７７ａの周囲にはその段差部３７７ａに沿うように第１リブ帯としての外リブ３７７ｂが形成されている。そして、その段差部３７７ａと外リブ３７７ｂとの間の隙間にカバーパネル３８０の第２リブ帯としての周囲リブ３８１が収容されるようになっている。これにより、操作板３７０の外リブ３７７ｂによってカバーパネル３８０の周囲リブ３８１がガードされるため、針金等の道具によりカバーパネル３８０が引っ掛けられてカバーパネル３８０が開けられてしまうことがなくなり、主電源装置３４０に対する不正行為を防止することができる。
【００７７】
また、操作板３７０の左端部上下には、カバーパネル３８０を操作板３７０に横開き開閉自在に取り付けるための開閉支持部としてのカバー開閉支持部３７８ａが棒状に形成されている。操作板３７０の左下端部には、付勢部材取付部としての棒状のコイルばね取付部３７８ｂが形成されており、カバーパネル３８０を操作板３７０の表面を覆う閉塞位置に付勢する図示しない付勢部材としてのねじりコイルばね等が取り付けられるように構成されている。また、操作板３７０の左下端部裏面側には、溝状の第１ねじりコイルばね受け部３７８ｃが形成されており、図示しないねじりコイルばねの一端側を受容するように構成されている。
【００７８】
ここで、操作板３７０の射出成形による加工の都合上、操作板３７０におけるカバー開閉支持部３７８ａ及びコイルばね取付部３７８ｂの形成位置には、図６及び図７に示すように、上下の開閉支持部開口３７８ｄ及びばね取付部開口３７８ｅが形成される。ただし、これらの開閉支持部開口３７８ｄ及びばね取付部開口３７８ｅは、上述した操作板３７０をカバー本体３６０に取り付けるためのネジ穴３６２ａを有する操作板取付部３６２によって塞がれるようになっているため、セルや針金等の不正行為治具をカバー本体３６０の内部に侵入させることが防止されることから、主電源装置３４０に対する不正行為を防止することができる。
【００７９】
カバーパネル３８０は、操作板３７０と同様に、ポリカーボネート、メタクリル樹脂、ＡＢＳ樹脂等の透明な樹脂材料を用いて射出成形等の成形手段により図示する形状に一体的に形成される。カバーパネル１６０の中央部には、図５及び図６に示すように、操作板３７０の表面中央側と位置整合して面部３８２が形成され、カバーパネル３８０が操作板３７０の表面を覆う状態で、ホールスタッフ等が面部３８２を通して操作板３７０に配設された各操作スイッチ等の状態を外観確認することができるようになっている。また、ホールスタッフ等がカバーパネル３８０の面部３８２及び操作板３７０を通してカバー本体３６０内の電源基板ユニット３５０の各種部品や回路等の状態を外観確認することができるようになっている。
【００８０】
カバーパネル３８０の左端部上下には、操作板３７０の上下のカバー開閉支持部３７８ａにそれぞれ係合するカバー取付部３８３ａとストッパー３８３ｂとが形成されている。そして、図６に示すように、カバー取付部３８３ａがカバー開閉支持部３７８ａに係合することで、カバーパネル３８０が操作板３７０に対し操作板３７０の表面を覆う閉塞位置から、図７に示すように、横開き開放位置まで開閉自在とされる。このとき、図８に示すカバーパネル３８０のストッパー３８３ｂが操作板３７０の表面に当接し、カバーパネル３８０の開放位置を規制するようになっている。
【００８１】
カバーパネル３８０の左下端部には、図６及び図８に示すように、溝状の第２ねじりコイルばね受け部３８３ｃが形成されており、図示しないねじりコイルばね等の他端側を受容するように構成されている。そして、図示しないねじりコイルばね等を操作板３７０のコイルばね取付部３７８ｂに取り付け、そのねじりコイルばね等の一端側を操作板３７０の第１ねじりコイルばね受け部３７８ｃに受容させるとともに、そのねじりコイルばね等の他端側を第２ねじりコイルばね受け部３８３ｃに受容させることで、操作板３７０とカバーパネル３８０とに跨って設けられたねじりコイルばね等によりカバーパネル３８０が操作板３７０の表面を覆う閉塞位置に付勢される。これにより、ホールスタッフ等がカバーパネル３８０を閉塞位置に位置させることを忘れても、図示しないねじりコイルばねの付勢力によりカバーパネル３８０が閉塞位置に位置するため、操作板３７０に配設された各操作スイッチに対する不正行為を防止することができる。
【００８２】
カバーパネル３８０の周囲には、図７、図８及び図１１に示すように、操作板３７０の段差部３７７ａに当接するとともに、その段差部３７７ａと外リブ３７７ｂとの間の隙間に嵌め合わされる周囲リブ３８１が形成されている。周囲リブ３８１は、段差部３７７ａ及び段差部３７７ａと外リブ３７７ｂとの間の隙間に位置整合して、カバーパネル３８０の周囲に繋がってスロットマシン１の後方へ突出するように形成され、カバーパネル３８０を閉塞位置に位置させると段差部１５４及び外リブ３７７ｂに当接し、さらに段差部３７７ａと外リブ３７７ｂとの間の隙間に収容される状態でカバーパネル３８０が操作板３７０の表面を覆うように構成される。
【００８３】
そのため、段差部３７７ａによりセルや針金等の不正行為治具がカバーパネル３８０に覆われた操作板３７０の表面に入り込み難くなり、さらに外リブ３７７ｂによりカバーパネル３８０の周囲リブ３８１がガードされるため、針金等の道具によりカバーパネル３８０が引っ掛けられてカバーパネル３８０が多少なりとも開けられてしまうことがなくなり、セルや針金等の不正行為治具が操作板３７０の表面に入り込みに難くなって、操作板３７０に配設された各操作スイッチに対する不正行為を防止することができる。
【００８４】
カバーパネル３８０の内側には、図８に示すように、設定スイッチ３７２の周辺部に当接するスイッチ周りリブ３８４ａと、リセットボタン３７３の周辺部に当接するスイッチ周りリブ３８４ｂとが形成されている。これらのスイッチ周りリブ３８４ａ，３８４ｂは、図１１に示すように、設定スイッチ３７２及びリセットボタン３７３の周辺部に位置整合して、スロットマシン１の後方へ突出するように形成され、カバーパネル３８０を閉塞位置に位置させると設定スイッチ３７２及びリセットボタン３７３の周辺部に当接し、この状態で設定スイッチ３７２及びリセットボタン３７３の表面側がスイッチ周りリブ３８４ａ，３８４ｂに囲まれるように構成される。そのため、これらのスイッチ周りリブ３８４ａ，３８４ｂによりセルや針金等の不正行為治具が設定スイッチ３７２及びリセットボタン３７３の表面側に入り込み難くなるため、設定スイッチ３７２及びリセットボタン３７３に対する不正行為を防止することができる。
【００８５】
また、カバーパネル３８０の右端中央部には、カバーパネル３８０の背面側に向けて窪むように形成されたロック片操作部３８５が設けられている。ロック片操作部３８５の右端には、上述した操作板３７０のロック片３７６の先端が挿入されるロック片挿入穴３８５ａが形成されている。このロック片挿入穴３８５ａは、ロック片３７６によるロック及びロック解除に伴う若干の傾動、すなわち、ロック片３７６の係止段部３７６ｂがロック片挿入穴３８５ａの表面側の開口縁部３８５ｃに係止したり、その係止段部３７６ｂによる係止が解除されることに伴う傾動を許容する幅となるように形成されている。また、カバーパネル３８０の外周縁部のロック片操作部３８５に近接する位置には、カバーパネル３８０の表面側に向けて突出させた指係合片３８６が形成されている。
【００８６】
ここで、カバーパネル３８０を閉塞位置に位置させるとき、カバーパネル３８０の左端部上下に設けられているカバー取付部３８３ａを支点としてカバーパネル３８０の右側部側を操作板３７０側に押し込むと、図１０に示すロック片操作部３８５のロック片挿入穴３８５ａの背面側の開口縁部３８５ｂが操作板３７０のロック片３７６の先端のテーパ部３７６ａに当接する。この状態でさらにカバーパネル３８０の右側部側を操作板３７０側に押し込むと、ロック片３７６の先端が自らの弾性力に抗して右側に若干傾動し、カバーパネル３８０が閉塞位置に達すると、ロック片３７６の先端が弾性力によって元の位置に復帰し、ロック片３７６の係止段部３７６ｂがロック片操作部３８５のロック片挿入穴３８５ａの表面側の開口縁部３８５ｃに係止する。
【００８７】
このとき、ロック片操作部３８５の凸状の背面部３８５ｄが上述した操作板３７０の嵌合凹部３７５に嵌合されるとともに、カバーパネル３８０がロック片３７６によって閉塞位置にロックされる。なお、図１０に示す符号３８５ｅは、ロック片操作部３８５にロック片挿入穴３８５ａが形成されるに伴って設けられた操作部リブであり、上述した操作板３７０側の段差部３７７ａと同一線上に形成されたリブ３７７ｃの内側に収まるようになっている。
【００８８】
一方、ロック片３７６によるロックを解除するとき、ロック片操作部３８５のロック片挿入穴３８５ａの表面側の開口縁部３８５ｃに係止しているロック片３７６の先端に親指を係合させ、併せて人差し指を指係合片３８６に係合させ、親指でロック片３７６の先端を指係合片３８６側に押し込むと、ロック片３７６の係止段部３７６ｂがロック片操作部３８５のロック片挿入穴３８５ａの表面側の開口縁部３８５ｃから外される。この状態で、人差し指により指係合片３８６を手前側に引くと、カバーパネル３８０の左端部上下に設けられているカバー取付部３８３ａを支点としてカバーパネル３８０が手前側に回動し、カバーパネル３８０が開放される。
【００８９】
このように、カバーパネル３８０の開放には、ロック片３７６の先端を指係合片３８６側である水平方向に移動させてロックを解除する動作と、カバーパネル３８０をカバーパネル３８０の左端部上下に設けられているカバー取付部３８３ａを支点としてカバーパネル３８０を手前側である、ロック片３７６によるロックを解除する方向に対して直交する方向に回動させる動作とが必要となる。
【００９０】
これにより、セルや針金等の不正行為治具を用いてこれらの二通りの動作を行い、カバーパネル３８０を開放させることは困難であるため、セルや針金等の不正行為治具が設定スイッチ３７２及びリセットボタン３７３の表面側に入り込み難くなり、設定スイッチ３７２及びリセットボタン３７３に対する不正行為を防止することができる。
【００９１】
なお、ロック片操作部３８５はカバーパネル３８０の右端中央部に設けられているが、これに限られるものではなく、カバーパネル３８０の右上下端部に設けてもよい。この場合、指係合片３８６と操作板３７０側のロック片３７６の取り付け位置をロック片操作部３８５の位置に合わせて変更すればよい。また、ロック片操作部３８５は１個に限られるものではなく２個以上であってもよい。この場合、操作板３７０側のロック片３７６も２個以上とすればよい。
【００９２】
このようにすれば、複数のロック片３７６によりカバーパネル３８０が閉塞位置でロック保持されることで、カバーパネル３８０の浮き上がりが防止され、セルや針金等の不正行為治具がカバーパネル３８０に覆われた操作板３７０の表面に一層入り込み難くなるため、操作板３７０に配設された各操作スイッチに対する不正行為を防止することができる。
【００９３】
このように、本実施例では、少なくともスロットマシン１のゲーム進行に関わる、たとえばコインの払い出し等の重要な電子回路部品３５２ａ等が搭載されている基板３５１をボックス体としてのカバー本体３６０に収容保持し、そのボックス体の前面側にスロットマシン１に所定作動を行わせるための各種操作スイッチを有する操作板３７０を設け、その操作板３７０の表面に開閉自在とされるカバー体としてのカバーパネル３８０を設け、基板３５１上の少なくともスロットマシン１の筐体２の前面側に寄った位置に、ガード部材としてのヒートシンク３５５を取り付けることで、その筐体２の前面側から差し込まれたセルや針金等の不正行為治具がカバー本体３６０内部の基板３５１上の電子回路部品３５２ａ等の搭載面に侵入するのをガートするようにしたので、基板３５１上の重要な電子回路部品３５２ａ等に対する不正行為をより確実に防止することができる。
【００９４】
また、本実施例では、ヒートシンク３５５を、基板３５１上の少なくとも操作板３７０の背面側に近い位置に取り付けるようにしたので、遊技者から見て基板３５１上のヒートシンク３５５により電子回路部品３５２ａ等を遮るようにすることができる。すなわち、スロットマシン１の機種にもよるが、一般的にスロットマシン１の筐体２を正面から見たとき、電源装置３４０はその筐体２内部の左下付近にねじ止め等によって固定されていることが多い。これは、筐体２の開口を覆っている前扉３が左端部側を支点として片開きされる構成であり、前扉３を開けたときの開け口から最も遠い位置にあるためである。またこの場合、スロットマシンのメンテナンス作業や出玉管理作業等を行うための各種操作スイッチが設けられている操作板３７０が筐体２の開口側、すなわちホールスタッフ側（又は遊技者側）に向けられているためである。
【００９５】
また、本実施例では、基板３５１の放熱に必要な既存のヒートシンク３５５をガード部材として用いるようにしたので、新たなガード部材を取り付ける必要がなくなり、基板３５１上の電子回路部品３５２ａ等の有効搭載面積の縮小を抑えることができる。
【００９６】
また、ヒートシンク３５５は、熱が伝導しやすいアルミや銅等の金属材料で形成されているため、十分な剛性がありセルや針金等の不正行為治具によって強い力が加えられたとしても変形等を起こすおそれがなく、電子回路部品３５２ａ等に対するガード部材として十分な効果をもたらすことができる。
【産業上の利用可能性】
【００９７】
スロットマシンの電源装置に限らず、たとえばアーケードゲーム機等のように、前面側に開口を有する箱形の筐体と、筐体の前面側に開口を覆う閉止位置から開閉自在に取り付けられた前面扉と、筐体の内部に設けられて電力を供給する電源装置とを備え、前面扉が開口を覆う状態で電源装置から供給される電力により遊技に供される遊技機の電源装置にも適用可能である。
【図面の簡単な説明】
【００９８】
【図１】本発明の電源装置が適用される回胴式遊技装置の一例を示す斜視図である。
【図２】図１の回胴式遊技装置を並設させた、いわゆる遊技機島を示す平面図である。
【図３】図１の回胴式遊技装置における前扉の裏面構造と筐体の内部構造とを示す図である。
【図４】図１の回胴式遊技装置における制御システムを説明するためのブロック図である。
【図５】本発明の電源装置に係る主電源装置を示す分解斜視図である。
【図６】図５の主電源装置を示す正面図である。
【図７】図５の主電源装置のカバーパネルを開放した場合を示す正面図である。
【図８】図５の主電源装置のカバーパネルを内側から見た場合の正面図である。
【図９】図５の主電源装置を示す平面図である。
【図１０】図６の主電源装置をＡ−Ａ線に沿って見た場合を示す部分拡大断面図である。
【図１１】図６の主電源装置をＢ−Ｂ線に沿って見た場合を示す部分拡大断面図である。
【符号の説明】
【００９９】
１  スロットマシン
２  筐体
３  前扉
４  操作卓
５  受皿ユニット
６  上部ランプ
７ａ，７ｂ  サイドランプ
８ａ，８ｂ  演出用放音部
９  液晶表示ユニット
１０  リールユニット
１１  パネル板
１３  メダル投入部
１４  ベットボタン
１５  スタートレバー
１７  パネル
１８  メダル排出口
３６  セレクト機構
３８  ホッパ装置
３９  回胴装置
３１０  副制御基板
３１０ａ  照明制御部
３１０ｂ  音響制御部
３１０ｃ  画像制御部
３２０  主制御基板
３３０  中央表示基板
３４０  主電源装置
３５０  電源基板ユニット
３５１  基板
３５２  電子部品
３５２ａ  電子回路部品
３５３ａ  満杯検知信号線コネクタ
３５３ｂ  基板通信コネクタ
３５３ｃ  ホッパコネクタ
３５４  回路素子
３５５  ヒートシンク
３５６  打止スイッチ
３５７  自動精算スイッチ
３５９  電源ケーブル
３６０  カバー本体
３６１  カバー側板
３７０  操作板
３７１  電源スイッチ
３７２  設定スイッチ
３７３  リセットボタン
３７６  ロック片
３８０  カバーパネル
８１０  回胴装置基板
８２０  電源装置基板
８４０  外部集中端子基板
【図１】
2008154748.tif 000003
【図２】
2008154748.tif 000004
【図３】
2008154748.tif 000005
【図４】
2008154748.tif 000006
【図５】
2008154748.tif 000007
【図６】
2008154748.tif 000008
【図７】
2008154748.tif 000009
【図８】
2008154748.tif 000010
【図９】
2008154748.tif 000011
【図１０】
2008154748.tif 000012
【図１１】
2008154748.tif 000013